(57)【特許請求の範囲】
【請求項１】
所定面（３１、１３２）に沿って配置された複数の放射線源（３０、３０ａ〜３０ｐ）を有する放射線出力装置（１８）と、
前記放射線出力装置（１８）の各前記放射線源（３０、３０ａ〜３０ｐ）からの放射線（１６、１６ａ〜１６ｐ）の出力を制御する出力制御手段（５０、１４２、１４４）と
を備え、
前記出力制御手段（５０、１４２、１４４）は、撮影形態が静止画モードであるか動画モードであるかを判別し、前記撮影形態が静止画モードであると判別した場合には、前記複数の放射線源（３０、３０ａ〜３０ｐ）のうち前記放射線（１６、１６ａ〜１６ｐ）を出力する放射線源（３０、３０ａ〜３０ｐ）を少なくとも１つ自動的に選択し、一方で、前記撮影形態が動画モードであると判別した場合には、前記複数の放射線源（３０、３０ａ〜３０ｐ）のうち前記静止画モードで選択した放射線源（３０、３０ａ〜３０ｐ）とは異なる他の放射線源（３０、３０ａ〜３０ｐ）を少なくとも１つ自動的に選択する線源選択部（６０）を備える
ことを特徴とする放射線撮影システム（１０、１４０）。
【請求項２】
請求項１記載の放射線撮影システム（１０、１４０）において、
前記所定面（３１）は平面であり、
前記複数の放射線源（３０、３０ａ〜３０ｐ）はマトリクス状に配置されている
ことを特徴とする放射線撮影システム（１０、１４０）。
【請求項３】
請求項１又は２に記載の放射線撮影システム（１０、１４０）において、
前記出力制御手段（５０、１４４）は、前記複数の放射線源（３０、３０ａ〜３０ｐ）の中から前記静止画モードに供される第１線源グループ（１１２、１１６、１２２）を決定するグループ決定部（５６）をさらに備え、
前記線源選択部（６０）は、撮影形態が前記静止画モードである場合、前記グループ決定部（５６）により決定された前記第１線源グループ（１１２、１１６、１２２）の中から前記放射線源（３０、３０ａ〜３０ｐ）を少なくとも１つ選択する
ことを特徴とする放射線撮影システム（１０、１４０）。
【請求項４】
請求項３記載の放射線撮影システム（１０、１４０）において、
前記グループ決定部（５６）は、前記複数の放射線源（３０、３０ａ〜３０ｐ）の中から前記動画モードに供される第２線源グループ（１１４、１１８、１２４）をさらに決定し、
前記線源選択部（６０）は、撮影形態が前記動画モードである場合、前記グループ決定部（５６）により決定された前記第２線源グループ（１１４、１１８、１２４）の中から前記放射線源（３０、３０ａ〜３０ｐ）を少なくとも１つ選択する
ことを特徴とする放射線撮影システム（１０、１４０）。
【請求項５】
請求項４記載の放射線撮影システム（１０、１４０）において、
前記グループ決定部（５６）は、各前記放射線源（３０、３０ａ〜３０ｐ）がいずれか一方の線源グループに属するように、前記第１線源グループ（１１２、１１６、１２２）及び前記第２線源グループ（１１４、１１８、１２４）を決定することを特徴とする放射線撮影システム（１０、１４０）。
【請求項６】
請求項１〜５のいずれか１項に記載の放射線撮影システム（１０、１４０）において、
前記線源選択部（６０）は、さらに、撮影対象である被写体（１４）の関心領域（１１０、１２０）と各前記放射線源（３０、３０ａ〜３０ｐ）との間の位置関係に応じて前記放射線源（３０、３０ａ〜３０ｐ）を少なくとも１つ選択することを特徴とする放射線撮影システム（１０、１４０）。
【請求項７】
請求項６記載の放射線撮影システム（１０、１４０）において、
撮影形態が前記静止画モードである場合、前記線源選択部（６０）は、前記関心領域（１１０、１２０）と各前記放射線源（３０、３０ａ〜３０ｐ）との距離が相対的に短い位置に存在する前記放射線源（３０、３０ａ〜３０ｐ）を少なくとも１つ選択することを特徴とする放射線撮影システム（１０、１４０）。
【請求項８】
請求項６記載の放射線撮影システム（１０、１４０）において、
撮影形態が前記静止画モードである場合、前記線源選択部（６０）は、前記関心領域（１１０、１２０）に対する前記放射線（１６、１６ａ〜１６ｐ）の照射角度が相対的に小さい位置に存在する前記放射線源（３０、３０ａ〜３０ｐ）を少なくとも１つ選択することを特徴とする放射線撮影システム（１０、１４０）。
【請求項９】
請求項１〜８のいずれか１項に記載の放射線撮影システム（１０、１４０）において、
前記線源選択部（６０）は、前記所定面（３１、１３２）の平面視で、クラスタ状に配置された２以上の放射線源（３０、３０ａ〜３０ｐ）を選択することを特徴とする放射線撮影システム（１０、１４０）。
【請求項１０】
請求項１〜９のいずれか１項に記載の放射線撮影システム（１０、１４０）において、
前記出力制御手段（５０、１４２、１４４）は、前記動画モードにおけるフレーム間隔よりも長い時間間隔で、前記静止画モードに応じた前記放射線（１６、１６ａ〜１６ｐ）の出力の制御を遂次実行することを特徴とする放射線撮影システム（１０、１４０）。
【請求項１１】
請求項１〜１０のいずれか１項に記載の放射線撮影システム（１０、１４０）において、
前記複数の放射線源（３０、３０ａ〜３０ｐ）を一体的に移動させる移動機構（５５）をさらに備えることを特徴とする放射線撮影システム（１０、１４０）。
【請求項１２】
請求項１〜１１のいずれか１項に記載の放射線撮影システム（１０、１４０）において、
前記複数の放射線源（３０、３０ａ〜３０ｐ）から出力された各前記放射線（１６、１６ａ〜１６ｐ）を放射線画像に変換する放射線撮影装置（２０）をさらに備えることを特徴とする放射線撮影システム（１０、１４０）。
【請求項１３】
所定面（３１、１３２）に沿って配置された複数の放射線源（３０、３０ａ〜３０ｐ）を有する放射線出力装置（１８）を用いた放射線撮影方法であって、
撮影形態が静止画モードであるか動画モードであるかを判別し、前記撮影形態が静止画モードであると判別した場合には、前記放射線出力装置（１８）の前記複数の放射線源（３０、３０ａ〜３０ｐ）のうち放射線（１６、１６ａ〜１６ｐ）を出力する放射線源（３０、３０ａ〜３０ｐ）を少なくとも１つ自動的に選択し、一方で、前記撮影形態が動画モードであると判別した場合には、前記複数の放射線源（３０、３０ａ〜３０ｐ）のうち前記静止画モードで選択した放射線源（３０、３０ａ〜３０ｐ）とは異なる他の放射線源（３０、３０ａ〜３０ｐ）を少なくとも１つ自動的に選択するステップを備えることを特徴とする放射線撮影方法。                                                                        
【発明の詳細な説明】
【技術分野】
【０００１】
この発明は、所定面に沿って配置された複数の放射線源を有する放射線出力装置を用いた放射線撮影システム及び放射線撮影方法に関する。
【背景技術】
【０００２】
近時、所定面に沿って配置された複数の放射線源を収容した放射線出力装置、及びこの装置を用いた放射線撮影方法が種々提案されている。【０００３】
特開２０１０−１１５２７０号公報には、透視撮影（動画撮影）の際、コリメータの大きさ及び位置を制御することで、観察面積の拡縮等の変更が好適に実行できる旨が記載されている。
【発明の概要】
【０００４】
ところで、放射線撮影は、時間的要素の有無によって２つの撮影形態、具体的には、一回的な撮影により放射線画像を取得する静止画モードと、連続的な撮影により放射線画像を順次取得する動画モードとに大別される。しかし、特開２０１０−１１５２７０号公報には、静止画モード及び動画モードを併用する放射線撮影を行う場合に関する具体的提案が何らされておらず、複数の放射線源をどのように使用すればよいかが問題となる。
【０００５】
本発明は上記した問題を解決するためになされたもので、静止画モード及び動画モードを併用する放射線撮影を行う際の、オペレータの作業効率を大幅に向上可能な放射線撮影システム及び放射線撮影方法を提供することを目的とする。
【０００６】
本発明に係る放射線撮影システムは、所定面に沿って配置された複数の放射線源を有する放射線出力装置と、前記放射線出力装置の各前記放射線源からの放射線の出力を制御する出力制御手段とを備え、前記出力制御手段は、撮影形態が静止画モードであるか動画モードであるかを判別し、前記撮影形態が静止画モードであると判別した場合には、前記複数の放射線源のうち前記放射線を出力する放射線源を少なくとも１つ自動的に選択し、一方で、前記撮影形態が動画モードであると判別した場合には、前記複数の放射線源のうち前記静止画モードで選択した放射線源とは異なる他の放射線源を少なくとも１つ自動的に選択する線源選択部を備えることを特徴とする。
【０００７】
このように、出力制御手段は、撮影形態が静止画モードであるか動画モードであるかに応じて、複数の放射線源のうち放射線を出力する放射線源を少なくとも１つ選択するようにしたので、放射線源の移動、ポジショニングの変更等を必要とせずに、各撮影形態に適した位置からの放射線の出力が可能になる。これにより、静止画モード及び動画モードを併用する放射線撮影を行う際の、オペレータの作業効率が大幅に向上する。
【０００８】
また、前記所定面は平面であり、前記複数の放射線源はマトリクス状に配置されていることが好ましい。
【０００９】
さらに、前記出力制御手段は、前記複数の放射線源の中から前記静止画モードに供される第１線源グループを決定するグループ決定部をさらに備え、前記線源選択部は、撮影形態が前記静止画モードである場合、前記グループ決定部により決定された前記第１線源グループの中から前記放射線源を少なくとも１つ選択することが好ましい。これにより、静止画モードでの放射線撮影に適した少なくとも１つの位置からの放射線の出力が可能である。
【００１０】
さらに、前記グループ決定部は、前記複数の放射線源の中から前記動画モードに供される第２線源グループをさらに決定し、前記線源選択部は、撮影形態が前記動画モードである場合、前記グループ決定部により決定された前記第２線源グループの中から前記放射線源を少なくとも１つ選択することが好ましい。これにより、動画モードでの放射線撮影に適した少なくとも１つの位置からの放射線の出力が可能である。
【００１１】
さらに、前記グループ決定部は、各前記放射線源がいずれか一方の線源グループに属するように、前記第１線源グループ及び前記第２線源グループを決定することが好ましい。
【００１２】
また、前記線源選択部は、さらに、撮影対象である被写体の関心領域と各前記放射線源との間の位置関係に応じて前記放射線源を少なくとも１つ選択することが好ましい。これにより、静止画モード、動画モードのいずれの撮影形態であっても、関心領域に適した放射線撮影を行うことができる。
【００１３】
さらに、撮影形態が前記静止画モードである場合、前記線源選択部は、前記関心領域と各前記放射線源との距離が相対的に短い位置に存在する前記放射線源を少なくとも１つ選択することが好ましい。
【００１４】
さらに、撮影形態が前記静止画モードである場合、前記線源選択部は、前記関心領域に対する前記放射線の照射角度が相対的に小さい位置に存在する前記放射線源を少なくとも１つ選択することが好ましい。
【００１５】
さらに、前記線源選択部は、前記所定面の平面視で、クラスタ状に配置された２以上の放射線源を選択することが好ましい。これにより、一時に出力される各放射線を密に結束可能であり、放射線画像中に幾何学的歪みが発生することを抑制できる。
【００１６】
さらに、前記出力制御手段は、前記動画モードにおけるフレーム間隔よりも長い時間間隔で、前記静止画モードに応じた前記放射線の出力の制御を遂次実行することが好ましい。これにより、撮影対象の状態（放射線画像の特性）が時々刻々と変化する場合であっても、タイミングを逸することなく静止画モードでの撮影を確実に実行できる。
【００１７】
さらに、前記複数の放射線源を一体的に移動させる移動機構をさらに備えることが好ましい。
【００１８】
さらに、前記複数の放射線源から出力された各前記放射線を放射線画像に変換する放射線撮影装置をさらに備えることが好ましい。
【００１９】
本発明に係る放射線撮影方法は、所定面に沿って配置された複数の放射線源を有する放射線出力装置を用いた方法であって、撮影形態が静止画モードであるか動画モードであるかを判別し、前記撮影形態が静止画モードであると判別した場合には、前記放射線出力装置の前記複数の放射線源のうち放射線を出力する放射線源を少なくとも１つ自動的に選択し、一方で、前記撮影形態が動画モードであると判別した場合には、前記複数の放射線源のうち前記静止画モードで選択した放射線源とは異なる他の放射線源を少なくとも１つ自動的に選択するステップを備えることを特徴とする。
【００２０】
本発明に係る放射線撮影システム及び放射線撮影方法によれば、撮影形態が静止画モードであるか動画モードであるかに応じて、複数の放射線源のうち放射線を出力する放射線源を少なくとも１つ選択するようにしたので、放射線源の移動、ポジショニングの変更等を必要とせずに、各撮影形態に適した位置からの放射線の出力が可能になる。これにより、静止画モード及び動画モードを併用する放射線撮影を行う際の、オペレータの作業効率が大幅に向上する。
【図面の簡単な説明】
【００２１】
【図１】本実施形態に係る放射線撮影システムの構成図である。
【図２】図１に示す放射線出力装置及び電子カセッテの構成図である。
【図３】図３Ａ及び図３Ｂは、図２に示す放射線出力部が備える各放射線源の配置例を表す模式的平面図である。
【図４】図１に示す放射線撮影システムの電気的なブロック図である。
【図５】図４に示す電子カセッテの回路構成図である。
【図６】図１に示す放射線撮影システムの動作説明に供されるフローチャートである。
【図７】図７Ａは、第１位置に存在する関心領域を撮影する際の、第１及び第２線源グループの決定例を表す概略説明図である。図７Ｂは、撮影形態が静止画モードである場合、第１位置に存在する関心領域に向けて放射線を出力する状態を表す概略説明図である。図７Ｃは、撮影形態が動画モードである場合、第１位置に存在する関心領域に向けて放射線を出力する状態を表す概略説明図である。
【図８】図８Ａは、第２位置に存在する関心領域を撮影する際の、第１及び第２線源グループの決定例を表す概略説明図である。図８Ｂは、撮影形態が静止画モードである場合、第２位置に存在する関心領域に向けて放射線を出力する状態を表す概略説明図である。図８Ｃは、撮影形態が動画モードである場合、第２位置に存在する関心領域に向けて放射線を出力する状態を表す概略説明図である。
【図９】図９Ａは、第３位置に存在する関心領域を撮影する際の、第１及び第２線源グループの決定例を表す概略説明図である。図９Ｂは、撮影形態が静止画モードである場合、第３位置に存在する関心領域に向けて放射線を出力する状態を表す概略説明図である。図９Ｃは、撮影形態が動画モードである場合、第３位置に存在する関心領域に向けて放射線を出力する状態を表す概略説明図である。
【図１０】図１０Ａは、撮影形態が静止画モードである場合、複数の関心領域に向けて放射線を出力する状態を表す概略説明図である。図１０Ｂは、複数の関心領域を撮影する際の、第１及び第２線源グループの決定例を表す概略説明図である。
【図１１】第１変形例に係る放射線出力部における各放射線源の配置例を表す模式的平面図である。
【図１２】第２変形例に係る放射線撮影システムの電気的なブロック図である。
【発明を実施するための形態】
【００２２】
以下、本発明に係る放射線撮影方法について放射線撮影システムとの関係において好適な実施形態を挙げ、添付の図面を参照して説明する。
【００２３】
［放射線撮影システム１０の構成］
図１に示すように、放射線撮影システム１０は、ベッド等の撮影台１２に横臥した被写体１４である患者に対して、放射線１６を照射する放射線出力装置１８と、被写体１４を透過した放射線１６を検出して放射線画像に変換する電子カセッテ２０と、放射線出力装置１８及び電子カセッテ２０を制御するコンソール２２と、放射線画像を表示する表示装置２４とを備える。
【００２４】
コンソール２２と放射線出力装置１８、電子カセッテ２０及び表示装置２４との間では、例えば、ＵＷＢ（Ultra Wide Band）、ＩＥＥＥ８０２．１１．ａ／ｂ／ｇ／ｎ等の無線ＬＡＮ（Local Area Network）、又は、ミリ波等を用いた無線通信により信号の送受信が行われる。なお、ケーブルを用いた有線通信により信号の送受信を行ってもよいことは勿論である。
【００２５】
コンソール２２には、病院内の放射線科において取り扱われる放射線画像やその他の情報を統括的に管理する放射線科情報システム（ＲＩＳ）２６が接続され、ＲＩＳ２６には、病院内の医事情報を統括的に管理する医事情報システム（ＨＩＳ）２８が接続されている。
【００２６】
図２及び図３Ａに示すように、放射線出力装置１８は、複数の放射線源３０ａ〜３０ｐ（この表記は、アルファベット順に３０ａから３０ｐまでを意味し、以下同様とする。）から構成される放射線出力部２９を有するマルチ線源方式の放射線出力装置である。なお、図２では、一例として、各放射線１６ａ〜１６ｐの出力方向に垂直する側面から視て、４個の放射線源３０ａ〜３０ｄが配置された状態を示している。以下、個々の放射線源あるいは個々の放射線を区別することなく共通的に説明する場合には、参照符号３０（１６）に付するアルファベット文字「ａ」等を省略する場合がある。
【００２７】
各放射線源３０は、電界電子放出型の放射線源、又は、熱電子放出型の放射線源である。すなわち、各放射線源３０は、図示しない電子ビーム発生部からターゲットに電子ビームを照射することにより、該ターゲットにおける電子ビームの照射箇所（焦点）から発生する放射線１６を被写体１４側にそれぞれ出力することが可能である。
【００２８】
図３Ａは、図２に示す放射線出力装置１８が備える各放射線源３０の配置例を図示した模式的平面図である。放射線源３０ａ〜３０ｐは、所定の出力面３１（本図例では、平面）に沿って４行４列のマトリクス状に配置されている。説明の便宜のため、以下の図面（例えば、図７Ａ等）において、図３Ｂに示すように、各放射線源３０の配置位置を正方状のセルとして模式的に表記する場合がある。なお、各セルに表記されたアルファベット文字は、放射線源３０（あるいは放射線１６）を各々区別する添字に該当する。
【００２９】
図２に戻って、電子カセッテ２０は、撮影台１２と被写体１４との間に配置される可撓性を有する薄型且つ可搬型の放射線撮影装置である。電子カセッテ２０において、放射線１６を透過可能な樹脂又は金属からなる薄肉の筐体３２内には、該筐体３２を透過した放射線１６を放射線画像に変換する放射線変換パネル３４と、フレキシブルプリント基板（ＦＰＣ）３６ａを介して放射線変換パネル３４を制御する一方で、他のＦＰＣ３６ｂを介して放射線変換パネル３４から放射線画像に応じた電気信号を読み出すカセッテ制御部３８とが収容されている。
【００３０】
放射線変換パネル３４は、放射線１６を可視光等の他の波長の電磁波に一旦変換するシンチレータ４２と、変換した電磁波をアモルファスシリコン（ａ−Ｓｉ）等の物質からなる複数の固体検出素子（以下、画素ともいう。）を用いて電気信号に変換する光電変換層４０とから構成される間接変換型の放射線検出器である。
【００３１】
本図では、放射線１６の照射方向（出力方向、入射方向）に沿って、光電変換層４０と、前記照射方向に沿って形成されたヨウ化セシウム（ＣｓＩ）の柱状結晶４４を含むシンチレータ４２とが順に配置された表面読取方式としてのＩＳＳ（Irradiation Side Sampling）方式の放射線変換パネル３４を図示している。このＩＳＳ方式の放射線変換パネル３４では、放射線１６は、光電変換層４０を透過してシンチレータ４２に至るので、光電変換層４０における放射線１６の吸収は、極力回避しなければならない。
【００３２】
そこで、光電変換層４０は、放射線１６の照射方向に沿って、例えば、図示しない絶縁性基板、ＴＦＴ（薄膜トランジスタ）部及び光電変換部を順に積層することにより形成される。シンチレータ４２側に形成される光電変換部は、該シンチレータ４２から放出された電磁波（例えば、可視光）を吸収し、吸収した可視光に応じた電荷を発生する。具体的に、光電変換部は、例えば、可視光を吸収して電荷を発生するａ−Ｓｉや有機光電変換材料（ＯＰＣ）等の光電変換膜を含み構成されることが好ましい。光電変換部で発生した電荷を読み出すＴＦＴ部は、ａ−Ｓｉ、非晶質酸化物、有機半導体材料、カーボンナノチューブ等からなる活性層を含み構成されることが好ましい。被写体１４側に配置される絶縁性基板は、可撓性を有する合成樹脂、アラミド又はバイオナノファイバからなることが好ましい。これらの材料を用いることにより、低温プロセスで可撓性を有する光電変換層４０を形成することが可能になると共に、光電変換層４０における放射線１６の吸収を抑制することができる。
【００３３】
一方、シンチレータ４２は、筐体３２の底面側に配置された図示しない蒸着基板上に放射線１６の入射方向に沿ってＣｓＩの柱状結晶４４を形成することにより構成される。この場合、タリウムが添加されたヨウ化セシウム（ＣｓＩ：Ｔｌ）の柱状結晶４４を形成すると共に、前述した光電変換膜にＯＰＣとしてのキナクリドンを用いれば、シンチレータ４２での発光ピーク波長と、光電変換膜での光吸収ピーク波長との差を５ｎｍ以内にすることが可能であるため、光電変換膜で発生する電荷量を最大化することができる。なお、蒸着基板としては、耐熱性が高く、且つ、低コストの薄厚のアルミニウム（Ａｌ）基板を用いればよい。
【００３４】
なお、シンチレータ４２の材料としては、ＣｓＩ又はＣｓＩ：Ｔｌに限定されることはなく、ＣｓＩ：Ｎａ（ナトリウム賦活ヨウ化セシウム）、ＧＯＳ（ガドリニウム・オキサイド・サルファ、Ｇｄ２Ｏ２Ｓ：Ｔｂ）等の材料を用いてもよいことは勿論である。また、本実施形態では、放射線１６の照射方向に沿って、シンチレータ４２及び光電変換層４０が順に配置された裏面読取方式（ＰＳＳ方式、ＰＳＳ：Penetration Side Sampling）の放射線変換パネルを用いてもよい。さらに、本実施形態では、放射線変換パネル３４として、放射線１６をアモルファスセレン（ａ−Ｓｅ）等の物質からなる複数の画素により電気信号に直接変換する直接変換型の放射線検出器を用いてもよい。
【００３５】
図４は、放射線撮影システム１０を構成する放射線出力装置１８、電子カセッテ２０及びコンソール２２のブロック構成図である。
【００３６】
放射線出力装置１８は、前述した放射線出力部２９に加え、各放射線源３０からの放射線１６の出力を制御する線源制御部５０（出力制御手段）と、コンソール２２との間で信号の送受信を行う通信部５２と、放射線出力部２９、線源制御部５０及び通信部５２に電力を供給するバッテリ５４と、各放射線源３０を矢印Ａ方向に沿って一体的に移動可能な移動機構５５とを有する。
【００３７】
線源制御部５０は、各放射線源３０のオンオフ制御、放射線１６の線量等の制御の他、複数の放射線源３０の中から静止画モードに供される第１線源グループ１１２（図７Ａ参照）及び／又は動画モードに供される第２線源グループ１１４（同図参照）を決定するグループ決定部５６、撮影対象である被写体１４の関心領域１１０（図７Ｂ等参照）や放射線出力部２９等の位置情報を取得する位置情報取得部５８、及び複数の放射線源３０の中から撮影に使用される放射線源３０を少なくとも１つ選択する線源選択部６０として機能する。また、線源制御部５０は、放射線出力部２９の矢印Ａ方向の移動量に応じた信号を移動機構５５側に供給可能である。
【００３８】
電子カセッテ２０は、前述した放射線変換パネル３４及びカセッテ制御部３８に加え、コンソール２２との間で信号の送受信を行う通信部６２と、光電変換層４０、カセッテ制御部３８及び通信部６２に電力を供給するバッテリ６４とを有する。カセッテ制御部３８は、放射線画像の読出しを行うためのアドレス信号をＦＰＣ３６ａ（図２参照）を介して光電変換層４０に供給するアドレス信号発生部６６と、光電変換層４０からＦＰＣ３６ｂを介して読み出された放射線画像を記憶する画像メモリ６８と、電子カセッテ２０を特定するためのカセッテＩＤ情報を記憶するカセッテＩＤメモリ７０とを有する。
【００３９】
コンソール２２は、各通信部５２、６２との間で信号の送受信を行う通信部７２、所定の制御処理を実行する制御処理部７４、被写体１４に対する放射線画像の撮影を要求するためのオーダ情報を記憶するオーダ情報記憶部７５、被写体１４に各放射線１６を照射させるための撮影条件を記憶する撮影条件記憶部７６、キーボードやマウス等の操作部７７、放射線出力部２９からの各放射線１６の出力の開始タイミングを医師又は技師（以下、総称してオペレータという。）が指示するための曝射スイッチ７８、及び、通信部７２が通信部６２から受信した放射線画像や、制御処理部７４で画像処理が施された放射線画像を記憶する画像メモリ７９を有する。
【００４０】
なお、オーダ情報とは、ＲＩＳ２６又はＨＩＳ２８（図１参照）において、医師により作成されるものであり、被写体１４の氏名、年齢、性別等、被写体１４を特定するための被写体情報に加えて、放射線画像の撮影に使用する放射線出力装置１８及び電子カセッテ２０の情報や、被写体１４の撮影部位等が含まれる。また、撮影条件とは、例えば、各放射線源３０の管電圧や管電流、各放射線１６の照射時間等、被写体１４の撮影部位に対して各放射線１６を照射させるために必要な各種条件である。
【００４１】
図５は、電子カセッテ２０の回路構成図である。
【００４２】
前述した光電変換層４０は、シンチレータ４２において各放射線１６から変換された電磁波（可視光）を電気信号に変換するａ−Ｓｉ等の物質からなる複数の画素８０を、行列状のＴＦＴ８６のアレイの上に配置した構造を有する。この場合、バッテリ６４（図４参照）からバイアス電圧Ｖｂが供給される各画素８０では、電磁波を電気信号（アナログ信号）に変換することにより発生した電荷が蓄積され、各行毎にＴＦＴ８６を順次オンにすることにより前記電荷を画像信号として読み出すことができる。
【００４３】
各画素８０に接続されるＴＦＴ８６には、行方向と平行に延びるゲート線８２と、列方向と平行に延びる信号線８４とが接続される。各ゲート線８２は、ライン走査駆動部９０に接続され、各信号線８４は、マルチプレクサ９２に接続される。ゲート線８２には、行方向に配列されたＴＦＴ８６をオンオフ制御する制御信号Ｖｏｎ、Ｖｏｆｆがライン走査駆動部９０から供給される。この場合、ライン走査駆動部９０は、ゲート線８２を切り替える複数のスイッチＳＷ１と、スイッチＳＷ１の１つを選択する選択信号を出力するアドレスデコーダ９４とを備える。アドレスデコーダ９４には、カセッテ制御部３８のアドレス信号発生部６６（図４参照）からアドレス信号が供給される。
【００４４】
また、信号線８４には、列方向に配列されたＴＦＴ８６を介して各画素８０に保持されている電荷が流出する。この電荷は、増幅器９６によって増幅される。増幅器９６には、サンプルホールド回路９８を介してマルチプレクサ９２が接続される。マルチプレクサ９２は、信号線８４を切り替える複数のスイッチＳＷ２と、スイッチＳＷ２の１つを選択する選択信号を出力するアドレスデコーダ１００とを備える。アドレスデコーダ１００には、アドレス信号発生部６６からアドレス信号が供給される。マルチプレクサ９２には、Ａ／Ｄ変換器１０２が接続され、Ａ／Ｄ変換器１０２によってデジタル信号に変換された放射線画像がカセッテ制御部３８に供給される。
【００４５】
スイッチング素子として機能するＴＦＴ８６は、ＣＭＯＳ（Complementary Metal-Oxide Semiconductor）イメージセンサ等、他の撮影素子と組み合わせて実現してもよい。また、ＴＦＴ８６で言うところのゲート信号に相当するシフトパルスにより電荷をシフトしながら転送するＣＣＤ（Charge Coupled Device）イメージセンサに置き換えてもよい。
【００４６】
なお、本明細書において、一回的な撮影により放射線画像を取得する撮影形態のことを「静止画モード」といい、連続的な撮影により放射線画像を順次取得する撮影形態のことを「動画モード」という。動画モードでは、比較的短い時間間隔（所定のフレームレート）で、放射線１６の出力及び放射線画像の取得を順次繰り返す。なお、動画モードの場合、例えば、プログレッシブ方式、インターレース方式のほか、ビニング等の公知の動画撮影技術を種々適用できる。
【００４７】
［放射線撮影システム１０の動作説明］
次に、本実施形態に係る放射線撮影システム１０の動作について、主に図６のフローチャート及び図４のブロック図を参照しながら説明する。
【００４８】
ステップＳ１において、コンソール２２の制御処理部７４は、オーダ情報に基づいて、各放射線源３０から被写体１４の撮影部位に各放射線１６を照射させるための撮影条件（管電圧、管電流、照射時間）を設定する。このオーダ情報は、例えば、ＲＩＳ２６（又はＨＩＳ２８）から取得され、オーダ情報記憶部７５に一時的に記憶された情報である。
【００４９】
その後、制御処理部７４は、設定した撮影条件を撮影条件記憶部７６に記憶させると共に、通信部７２、通信部５２を介して、当該撮影条件を放射線出力装置１８側に送信する。また、制御処理部７４は、設定した撮影条件あるいはオーダ情報を、通信部７２、通信部６２を介して無線により電子カセッテ２０側に送信する。その後、カセッテ制御部３８は、通信部６２を介して受信した撮影条件等を画像メモリ６８及び／又はカセッテＩＤメモリ７０に記憶する。なお、これらの送信処理は、撮影条件の設定後に即時に実行してもよいし、放射線出力装置１８又は電子カセッテ２０からの送信要求に応じて実行してもよい。
【００５０】
ステップＳ２において、放射線出力装置１８の位置情報取得部５８は、放射線出力部２９及び関心領域１１０（図７Ｂ等参照）の位置情報を取得する。放射線出力部２９の位置は、所定の基準位置（例えば、出力面３１の中央位置）であってもよいし、各放射線源３０ａ〜３０ｐの絶対位置であってもよい。関心領域１１０の位置は、何らかの手段により計測等された絶対位置であってもよいし、被写体１４の位置・姿勢、撮影部位等のオーダ情報から推定した位置であってもよい。
【００５１】
ステップＳ３において、放射線出力装置１８のグループ決定部５６は、複数の放射線源３０の中から、静止画モードに供される第１線源グループ１１２及び動画モードに供される第２線源グループ１１４をそれぞれ決定する。
【００５２】
図７Ａに示すように、第１線源グループ１１２に属する放射線源３０は、ハッチングを付したセル、すなわち中央側に存在する４つの放射線源３０ｆ、３０ｇ、３０ｊ、３０ｋである。第２線源グループ１１４に属する放射線源３０は、網点を付したセル、すなわち残余の１２個の放射線源３０ａ〜３０ｄ、３０ｅ、３０ｈ、３０ｉ、３０ｌ、３０ｍ〜３０ｐである。この決定方法の詳細については後述する。
【００５３】
ステップＳ４において、被写体１４の撮影開始を受けて、放射線出力装置１８の線源制御部５０は、撮影形態が静止画モードであるか動画モードであるかを判別する。
【００５４】
オペレータは、被写体１４と撮影台１２との間に電子カセッテ２０（図１等参照）を挿入し、被写体１４のポジショニングを行った後、曝射スイッチ７８を投入する。これにより、制御処理部７４は、放射線出力部２９からの放射線１６の出力の開始と、放射線変換パネル３４における放射線１６の検出及び放射線画像への変換との同期を取ることにより、被写体１４の撮影部位に対する放射線画像の撮影を実行するための同期制御信号を生成する。そして、制御処理部７４は、無線により通信部７２を介して、生成した同期制御信号を各通信部５２、６２にそれぞれ送信する。そして、線源制御部５０が通信部５２を介して同期制御信号を受信すると、ステップＳ１で予め設定された撮影条件に従って撮影が開始される。その後、線源制御部５０は、コンソール２２側から受信したオーダ情報を参照することで撮影形態を判別する。
【００５５】
撮影形態が静止画モードであると判別された場合、ステップＳ５に進み、線源選択部６０は、第１線源グループ１１２の中から本撮影に使用する放射線源３０を少なくとも１つ選択する。ここで、線源選択部６０は、第１線源グループ１１２に属するすべての放射線源３０、すなわち、４つの放射線源３０ｆ、３０ｇ、３０ｊ、３０ｋを選択したとする。
【００５６】
一方、撮影形態が動画モードであると判別された場合、ステップＳ６に進み、線源選択部６０は、第２線源グループ１１４の中から本撮影に使用する放射線源３０を少なくとも１つ選択する。ここで、線源選択部６０は、第２線源グループ１１４に属するすべての放射線源３０、すなわち、１２個の放射線源３０ａ〜３０ｄ、３０ｅ、３０ｈ、３０ｉ、３０ｌ〜３０ｐを選択したとする。
【００５７】
ステップＳ７において、放射線撮影システム１０は、ステップＳ５（又はＳ６）で選択された放射線源３０から放射線１６を出力することで、被写体１４の撮影を行う。具体的には、線源制御部５０は、コンソール２２側から取得した撮影条件に応じて、放射線源３０から所定の線量からなる放射線１６を、被写体１４の撮影部位に所定の照射時間だけ照射するように当該放射線源３０を制御する。
【００５８】
以下、各撮影形態における好ましい撮影方法について、図７Ａ〜図１０Ｂを参照しながら詳細に説明する。なお、説明の簡略化のため、一部の放射線源３０（図３Ｂに示すマトリクスの第２行のみ）に注目して図示及び説明する。
【００５９】
第１の事例として、電子カセッテ２０の法線方向に沿って、関心領域１１０を出力面３１上に投影させた場合、関心領域１１０の投影像１１０ｐ（図７Ａにおいて二点鎖線で図示する。）が、図３Ｂに示す４つのセル（ｆ，ｇ，ｊ，ｋ）に跨いで存在したとする。以下、図７Ｂ及び図７Ｃに示す関心領域１１０の実位置を第１位置という。換言すれば、放射線源３０ｆ、３０ｇ、３０ｊ、３０ｋは、電子カセッテ２０の主面の法線方向に対し、第１位置の直上に存在している。
【００６０】
図７Ｂに示すように、静止画モードでの撮影の際、第２行に属する４つの放射線源３０ｅ〜３０ｈのうち、２つの放射線源３０ｆ、３０ｇからそれぞれ放射線１６ｆ、１６ｇが出力される。そうすると、各放射線１６ｆ、１６ｇは、関心領域１１０の略正面側から透過され、電子カセッテ２０に対して略垂直に入射される。これにより、幾何学的な歪みが殆ど発生しない高画質の放射線画像を得ることができる。また、更なる高画質化あるいは被写体１４の被曝線量の低減を図るため、動画モードと比べて、各放射線源３０ｆ、３０ｇの照射野を絞って撮影してもよい。
【００６１】
図７Ｃに示すように、動画モードでの撮影の際、第２行に属する４つの放射線源３０ｅ〜３０ｈのうち、２つの放射線源３０ｅ、３０ｈからそれぞれ放射線１６ｅ、１６ｈが出力される。そうすると、各放射線１６ｅ、１６ｈは、関心領域１１０の僅かに斜め方向から透過され、電子カセッテ２０に入射される。このように撮影された動画像は、被写体１４の状態変化を監視するために主に用いられるので、その用途に十分に堪え得る。また、被写体１４の被曝線量の低減を図るため、静止画モードと比べて、各放射線１６ｆ、１６ｇの単位時間当りの線量を少なくして撮影してもよい。
【００６２】
また、グループ決定部５６は、各放射線源３０がいずれか一方の線源グループに属するように、第１線源グループ１１２及び第２線源グループ１１４を決定するので、同一の被写体１４及び関心領域１１０に対して、静止画像及び動画像の撮影を同時に実行できる。この場合、２つの放射線検出器を併設する等、静止画像及び動画像を別個に取得可能な構成を必要とする。
【００６３】
さらに、静止画モード及び動画モードを頻繁に切り替える代表例として、最初に動画モードに設定して撮影を行い、オペレータはその動画像を視認しながら被写体１４のポジショニングを行った後、本番の撮影のために静止画モードに切り替える場合（及びこの動作の繰り返し）が挙げられる。
【００６４】
ところで、関心領域１１０の位置が上記した第１位置（図７Ｂ及び図７Ｃ参照）と異なる場合であっても、同様の考え方に沿って、放射線源３０を適切に選択できる。
【００６５】
第２の事例として、電子カセッテ２０の法線方向に沿って、関心領域１１０を出力面３１上に投影させた場合、関心領域１１０の投影像１１０ｐ（図８Ａにおいて二点鎖線で図示する。）が、図３Ｂに示す４つのセル（ｅ，ｆ，ｉ，ｊ）に跨いで存在したとする。以下、図８Ｂ及び図８Ｃに示す関心領域１１０の実位置を第２位置という。
【００６６】
この場合、グループ決定部５６は、関心領域１１０との実距離（すなわち、出力面３１上の投影像１１０ｐとの距離）が相対的に短い放射線源３０を、第１線源グループに仕分ける（ステップＳ３参照）。その結果、図８Ａに示すように、第１線源グループ１１６に属する放射線源３０は、左中央側に存在する４つの放射線源３０ｅ、３０ｆ、３０ｉ、３０ｊとする。また、第２線源グループ１１８に属する放射線源３０は、残余の１２個の放射線源３０ａ〜３０ｄ、３０ｇ、３０ｈ、３０ｋ、３０ｌ、３０ｍ〜３０ｐとする。
【００６７】
撮影形態が静止画モードである場合、線源選択部６０は、第１線源グループ１１６の中から、本撮影に使用する放射線源３０を少なくとも１つ選択する（ステップＳ５参照）。例えば、４つの放射線源３０ｅ、３０ｆ、３０ｉ、３０ｊをすべて選択したとする。そうすると、図８Ｂに示すように、第２行に属する４つの放射線源３０ｅ〜３０ｈのうち、２つの放射線源３０ｅ、３０ｆから放射線１６ｅ、１６ｆがそれぞれ出力される。
【００６８】
撮影形態が動画モードである場合、線源選択部６０は、第２線源グループ１１８の中から、本撮影に使用する放射線源３０を少なくとも１つ選択する（ステップＳ６参照）。例えば、残余の放射線源３０ａ〜３０ｄ、３０ｇ、３０ｈ、３０ｋ、３０ｌ〜３０ｐのうち、関心領域１１０に対する照射角度が相対的に小さい８つの放射線源３０ａ〜３０ｃ、３０ｇ、３０ｋ、３０ｍ〜３０ｏを選択したとする。そうすると、図８Ｃに示すように、第２行に属する４つの放射線源３０ｅ〜３０ｈのうち、１つの放射線源３０ｇから放射線１６ｇが出力される。
【００６９】
このように、関心領域１１０（第２位置）と各放射線源３０との間の位置関係に応じて、撮影に用いる放射線源３０を少なくとも１つ選択することで、静止画モード、動画モードのいずれの撮影形態であっても関心領域１１０の各位置に適した撮影が可能になる。
【００７０】
第３の事例として、電子カセッテ２０の法線方向に沿って、関心領域１１０を出力面３１上に投影させた場合、関心領域１１０の投影像１１０ｐ（図９Ａにおいて二点鎖線で図示する。）が、図３Ｂに示す２つのセル（ｅ，ｉ）の左方に存在したとする。以下、図９Ｂ及び図９Ｃに示す関心領域１１０の実位置を第３位置という。
【００７１】
この場合、線源制御部５０は、移動機構５５を介して、放射線出力部２９を矢印Ａ方向に沿って所定量（例えば、セル１.５個分）だけ左方に移動させる。そうすると、放射線出力部２９と関心領域１１０との位置関係は、図８Ｂ及び図８Ｃに示した場合と同じになる。その後は、関心領域１１０が第２位置に存在する場合と同様にして、放射線源３０を選択することができる。
【００７２】
第４の事例として、被写体１４に複数の関心領域、具体的には、第１位置に存在する関心領域１１０の他、もう１つの関心領域１２０が存在したとする。電子カセッテ２０の法線方向に沿って、関心領域１２０を出力面３１上に投影させた場合、関心領域１２０の投影像１２０ｐ（図１０Ｂにおいて二点鎖線で図示する。）が、図３Ｂに示す４つのセル（ａ，ｂ，ｅ，ｆ）に跨いで存在したとする。以下、図１０Ｂに示す関心領域１２０の実位置を第４位置という。
【００７３】
この場合、グループ決定部５６は、関心領域１１０（第１位置）及び関心領域１２０（第４位置）のいずれかとの実距離（すなわち、出力面３１上の投影像１１０ｐ、１２０ｐとの距離）が相対的に短い放射線源３０を、第１線源グループに仕分ける（ステップＳ３参照）。その結果、第１線源グループ１２２に属する放射線源３０は、左上側に存在する７つの放射線源３０ａ、３０ｂ、３０ｅ〜３０ｇ、３０ｊ、３０ｋとする。また、第２線源グループ１２４に属する放射線源３０は、残余の９個の放射線源３０ｃ、３０ｄ、３０ｈ、３０ｉ、３０ｌ〜３０ｐとする。
【００７４】
そうすると、図１０Ａに示すように、第２行に属する４つの放射線源３０ｅ〜３０ｈのうち、３つの放射線源３０ｅ〜３０ｇから放射線１６ｅ〜１６ｇがそれぞれ出力される。
【００７５】
上記した第１〜第４の事例に共通するように、線源制御部５０は、２以上の放射線源３０を選択する場合、出力面３１の平面視で、クラスタ状に配置された放射線源３０を選択してもよい。ここで、クラスタ状とは、当該クラスタに属する任意の１つの放射線源３０が、他の少なくとも１つの放射線源３０に隣接する位置関係下にあることを意味する。これにより、被写体１４に向けて一時に出力される各放射線１６を密に結束可能であり、放射線画像中に幾何学的歪みが発生することを抑制できる。
【００７６】
また、線源制御部５０は、撮影形態が動画モードである場合、使用する放射線源３０を所定の時間間隔で切り替えてもよい。例えば、線源制御部５０は、図７Ａに示す第２線源グループ１１４のうち、放射線源３０ａ、３０ｃ、３０ｅ、３０ｈ、３０ｉ、‥‥の順番でフレーム毎に切り替えて制御する。このように、直近に使用した放射線源３０ａと隣接しない位置に存在する放射線源３０ｃを次に選択し、及び／又は、略同じ頻度で各放射線源３０を使用することで、各放射線源３０のターゲットからの発熱を効率良く逃がすことができ、放射線出力装置１８内に熱がこもることを効果的に回避することができる。
【００７７】
以上のようにして、放射線撮影システム１０は、撮影形態に応じて適切に選択された放射線源３０から放射線１６を出力することで、被写体１４の撮影を行う（ステップＳ７）。なお、放射線出力装置１８は、撮影形態、関心領域等の各種撮影条件の変更指示に応じて、撮影に用いる放射線源３０を自動的に変更してもよい。あるいは、オペレータによるマニュアル操作を受け付けて、撮影に用いる放射線源３０を変更自在に構成してもよい。
【００７８】
ステップＳ８において、放射線撮影システム１０は、被写体１４の放射線画像を取得する。以下、各部の動作を詳細に説明する。
【００７９】
被写体１４（撮影部位）を透過された放射線１６は、電子カセッテ２０内の放射線変換パネル３４に到達する。そして、ＣｓＩ又はＣｓＩ：Ｔｌの柱状結晶４４からなるシンチレータ４２は、放射線１６の強度に応じた強度の可視光を発光し、光電変換層４０を構成する各画素８０は、可視光を電気信号に変換し、電荷として蓄積する。
【００８０】
上記のステップＳ４において、制御処理部７４から通信部７２を介して通信部６２に同期制御信号が送信されるので、カセッテ制御部３８は、通信部６２を介して同期制御信号を受信した後に、アドレス信号発生部６６からライン走査駆動部９０及びマルチプレクサ９２にアドレス信号を供給させることによって、各画素８０に保持された被写体１４の放射線画像である電荷情報を読み出す。
【００８１】
すなわち、ライン走査駆動部９０のアドレスデコーダ９４は、アドレス信号発生部６６から供給されるアドレス信号に従って選択信号を出力してスイッチＳＷ１の１つを選択し、対応するゲート線８２に接続されたＴＦＴ８６のゲートに制御信号Ｖｏｎを供給する。一方、マルチプレクサ９２のアドレスデコーダ１００は、アドレス信号発生部６６から供給されるアドレス信号に従って選択信号を出力してスイッチＳＷ２を順次切り替え、ライン走査駆動部９０によって選択されたゲート線８２に接続された各画素８０に保持された電荷情報である放射線画像を信号線８４を介して順次読み出す。
【００８２】
選択されたゲート線８２に接続された各画素８０から読み出された放射線画像は、各増幅器９６によって増幅された後、各サンプルホールド回路９８によってサンプリングされ、マルチプレクサ９２を介してＡ／Ｄ変換器１０２に供給され、デジタル信号に変換される。デジタル信号に変換された放射線画像は、カセッテ制御部３８の画像メモリ６８に一旦記憶される。
【００８３】
同様にして、ライン走査駆動部９０のアドレスデコーダ９４は、アドレス信号発生部６６から供給されるアドレス信号に従ってスイッチＳＷ１を順次切り替え、各ゲート線８２に接続されている各画素８０に保持された電荷情報である放射線画像を信号線８４を介して読み出し、マルチプレクサ９２及びＡ／Ｄ変換器１０２を介してカセッテ制御部３８の画像メモリ６８に記憶させる。
【００８４】
ところで、撮影形態が動画モードである場合、カセッテ制御部３８は、予め設定されたフレームレート（例えば１５〜６０フレーム／秒）で、各画素８０に保持された電荷から放射線画像を取得する。例えば、インターレース方式を用いて各電荷を読み出すことで、フレームレートの向上や信号処理系の負担軽減が可能である。
【００８５】
ステップＳ９において、表示装置２４は、電子カセッテ２０により取得した放射線画像をコンソール２２経由で受信し、読影画像として表示する。
【００８６】
先ず、カセッテ制御部３８は、通信部６２を介して受信したコンソール２２側からの送信要求に応じて、画像メモリ６８に記憶された放射線画像、及びカセッテＩＤメモリ７０に記憶されたカセッテＩＤ情報を、通信部６２を介して無線によりコンソール２２に送信する。そして、制御処理部７４は、受信された放射線画像に対して所定の画像処理（例えば、公知の画像再構成処理）を施して、オペレータによる読影診断が可能な読影画像を生成する。そして、制御処理部７４は、通信部７２を介して無線により表示装置２４に読影画像を送信する。
【００８７】
ステップＳ１０において、オペレータは、表示装置２４に表示された読影画像を視認し、所望の放射線画像が得られたか否かを判断する。得られたと判断した場合（ＹＥＳ）、被写体１４に対する撮影を終了させる。一方、得られていないと判断した場合（ＮＯ）、ステップＳ４に戻り、被写体１４に対する再撮影が実行される。
【００８８】
以上のように、撮影形態が静止画モードであるか動画モードであるかに応じて、複数の放射線源３０のうち放射線１６を出力する放射線源３０を少なくとも１つ選択するようにしたので、放射線源３０の移動、ポジショニングの変更等を必要とせずに、各撮影形態に適した位置からの放射線１６の出力が可能になる。これにより、静止画モード及び動画モードを併用する放射線撮影を行う際の、オペレータの作業効率が大幅に向上する。
【００８９】
［放射線撮影の応用例］
続いて、静止画モード及び動画モードを併用した放射線撮影の応用例について説明する。ここでは、放射線画像の一部を強調等するための造影剤を用いて、微細な構造を有する特定部位（例えば、心臓、血管等）を撮影する事例について述べる。
【００９０】
先ず、オペレータは、被写体１４の血管（動脈又は静脈）から造影剤を投与する。そして、オペレータは、投与直後から動画モードで撮影を行い、特定部位の動画像を視認しながら、造影剤が特定部位に到達するタイミングを見図る。この動画モードでは、広角（図７Ｃ及び図８Ｃ参照）且つ低解像度での放射線撮影が遂次行われる。一方、投与された造影剤は、血管を通して被写体１４の体内を循環され、所定時間が経過した後に心臓等の特定部位に到達する。
【００９１】
次いで、造影剤が特定部位に到達したと判断された場合、オペレータによる操作部７７の操作等に応じて、線源制御部５０は、動画モードから静止画連写モードに切り替える。ここで、「静止画連写」とは、動画モードにおけるフレーム間隔よりも長い時間間隔で、静止画モードでの撮影を遂次実行する撮影形態をいう。この静止画連写モードでは、狭角（図７Ｂ及び図８Ｂ参照）且つ高解像度での放射線撮影が遂次行われる。すなわち、造影剤の到達量が多い時間帯に静止画モードで特定部位を撮影することで、コントラスト及び解像度が高い診断画像が得られる。また、連写により静止画像を遂次取得することで、造影剤を用いた撮影の場合であってもタイミングを逸することがない。さらに、得られた複数の静止画像を順次連結することで、特定部位の動態を容易に把握できる。
【００９２】
このように、線源制御部５０は、動画モードにおけるフレーム間隔よりも長い時間間隔で、静止画モードに応じた放射線１６の出力の制御を遂次実行するので、撮影対象の状態（放射線画像の特性）が時々刻々と変化する場合であっても、タイミングを逸することなく静止画モードでの撮影を確実に実行できる。
【００９３】
［本実施形態の変形例］
続いて、本実施形態の変形例（第１、第２変形例）について、図１１及び図１２を参照しながら説明する。なお、変形例において本実施の形態と同一である構成要素には、同一の参照符号を付して詳細な説明を省略し、以下同様とする。
【００９４】
（第１変形例）
第１変形例に係る放射線出力部１３０は、放射線源３０の配置（数及び位置）に関して、本実施形態（図３Ａ参照）と異なる。
【００９５】
図１１に示すように、放射線１６の出力側である出力面１３２は、円形状を有している。出力面１３２の中心位置には、１つの放射線源３０ａが配置されている。出力面１３２の周縁部には、円周に沿って等間隔に８つの放射線源３０ｂ〜３０ｉがそれぞれ配置されている。放射線源３０ａのサイズは、放射線源３０ｂ〜３０ｉの各サイズよりも大きい。例えば、グループ決定部５６は、１つの放射線源３０ａを第１線源グループに仕分け、静止画モードのみに使用してもよい。なお、その他の放射線源３０ｂ〜３０ｉに関しては、撮影形態（静止画モード、動画モード）及び／又は関心領域１１０との位置関係に応じて適宜選択してもよい。
【００９６】
なお、本実施形態における出力面３１、１３２の形状はいずれも平面状であるが、曲面状その他の形状であってもよい。また、放射線源３０の配置数又は位置は、必要に応じて適宜変更できることは言うまでもない。
【００９７】
（第２変形例）
第２変形例に係る放射線撮影システム１４０は、放射線１６の出力を制御する出力制御手段の構成に関して、本実施形態（図４参照）と異なる。
【００９８】
図１２に示すように、放射線出力装置１８の線源制御部１４２は、各放射線源３０のオンオフ制御、放射線１６の線量等の制御を実行する機能を有するのみである。一方、コンソール２２には、通信部７２、制御処理部７４、オーダ情報記憶部７５、撮影条件記憶部７６、操作部７７、曝射スイッチ７８及び画像メモリ７９の他、グループ決定部５６、位置情報取得部５８及び線源選択部６０の各機能を有する線源決定部１４４をさらに備える。
【００９９】
線源決定部１４４は、本実施形態の場合と同様に、複数の放射線源３０ａ〜３０ｐの中から、本撮影に使用される放射線源３０を少なくとも１つ選択する。そして、制御処理部７４は、通信部７２、通信部５２を介して、線源決定部１４４による選択結果に関する情報（以下、線源選択情報という。）を線源制御部１４２に送信する。そして、線源制御部１４２は、受信した線源選択情報に基づいて放射線源３０を制御し、放射線１６を出力するようにしてもよい。
【０１００】
すなわち、第２変形例における出力制御手段は、放射線出力装置１８の線源制御部１４２及びコンソール２２の線源決定部１４４で構成される。このように、出力制御手段を複数の装置（放射線出力装置１８及びコンソール２２）で構成しても、本実施形態と同様の作用効果が得られる。
【０１０１】
なお、この発明は、上述した実施形態に限定されるものではなく、この発明の主旨を逸脱しない範囲で自由に変更できることは勿論である。
【図１】
0005902186.tif 000002
【図２】
0005902186.tif 000003
【図３】
0005902186.tif 000004
【図４】
0005902186.tif 000005
【図５】
0005902186.tif 000006
【図６】
0005902186.tif 000007
【図７】
0005902186.tif 000008
【図８】
0005902186.tif 000009
【図９】
0005902186.tif 000010
【図１０】
0005902186.tif 000011
【図１１】
0005902186.tif 000012
【図１２】
0005902186.tif 000013